(57)【特許請求の範囲】
【請求項１】
潤滑剤組成物であって、
（ａ）ヒマワリ油、菜種油、ヒマシ油、アマニ油、トウモロコシ油、紅花油、大豆油、アマニ油、落花生油、レスケレラ油、パーム油、オリーブ油または前記の油の混合物からなる群から選択される、少なくとも６０％のオレイン酸割合を有するトリグリセリドベースの改質された天然油５０〜９０質量％、この場合、天然油は、過酸化物と反応され、ラジカル付加反応により不飽和二重結合が結合される、および
（ｂ）添加剤または添加剤混合物５〜１０質量％、
（ｃ）増粘剤５〜３０質量％、
を含有し、前記改質された天然油は、４０℃で１００〜１２５０ｍｍ2／秒の範囲の動粘度数を有する、潤滑剤組成物。
【請求項２】
前記改質された天然油の５〜４５質量％が、１もしくは複数の別のベース油成分によって代えられている、請求項１記載の潤滑剤組成物。
【請求項３】
前記増粘剤が、尿素、アルミニウム錯体セッケン、元素の周期律表の第１主族および第２主族の元素の金属単純セッケン、元素の周期律表の第１主族および第２主族の元素の金属錯体セッケン、ベントナイト、スルホネート、シリケート、ポリイミドまたはＰＴＦＥまたは前記の増粘剤の混合物からなる群から選択される、請求項１または２記載の潤滑剤組成物。
【請求項４】
前記添加剤または添加剤混合物が、ブチルヒドロキシトルエン、ジアルキルジフェニルアミン、アルキル化フェニル−α−ナフチルアミン、高分子トリメチルジヒドロキノリン、硫化脂肪酸エステル、ジフェニルクレシルホスフェート、アミンで中和されたホスフェート、アルキル化されたトリアリールホスフェート、アルキル化されていないトリアリールホスフェート、アルキル化されたトリアリールチオホスフェート、アルキル化されていないトリアリールチオホスフェート、亜鉛ジアルキルジチオホスフェート、カルバメート、チオカルバメート、亜鉛ジチオカルバメート、ジメルカプト−チアジアゾール、コハク酸半エステル、スルホン酸カルシウム、ベンゾトリアゾール誘導体、Ｋペンタボレート、チオ硫酸ナトリウム、ピロリン酸ナトリウムからなる群から選択される、請求項１から３までのいずれか１項記載の潤滑剤組成物。
【請求項５】
前記ベース油成分が、パラフィンベースの鉱油、ナフテンベースの鉱油、合成炭化水素、ポリ−α−オレフィン、ポリ−インターナルオレフィン、エチレン−プロピレンコポリマー、群ＩＩＩのオイル、合成エステル、ポリアルキレングリコールまたはアルキル芳香族化合物ならびにこれらの混合物からなる群から選択される、請求項２記載の潤滑剤組成物。
【請求項６】
天然油を、１，３−ビス（ｔ−ブチルペルオキシイソプロピル）ベンゼン、１，４−ビス（ｔ−ブチルペルオキシイソプロピル）ベンゼン、ジクミルペルオキシド、ｔ−ブチルクミルペルオキシド、２，５−ジメチル−２，５−ジ−（ｔ−ブチルペルオキシ）ヘキサン、ｎ−ブチル−４，４′−ジ（ｔ−ブチルペルオキシ）バレレート、１，１′−ジ（ｔ−ブチルペルオキシ）−３，３，５−トリメチルシクロヘキサンまたは２，５−ジメチル−２，５−ジ（ｔ−ブチルペルオキシ）ヘキサンまたはジ−ｔ−ブチルペルオキシドからなる群から選択される芳香族または脂肪族の過酸化物と反応させる、請求項１から５までのいずれか１項記載の潤滑剤組成物。
【請求項７】
適用キットであって、
４０℃で１００〜１２５０ｍｍ2／秒の範囲の動粘度を有する改質ヒマワリ油ポリマー  ７０〜９０質量％、
リチウムベースのセッケン３０〜１０質量％、
を含有し、これらの成分を使用の直前に相互に混合し、０〜２のＮＬＧＩクラスのグリースが得られ、かつリチウムベースのセッケンは、改質ヒマワリ油ポリマーを１：１のモル比でＬｉＯＨ×Ｈ2Ｏにより直接けん化することにより製造されるものである、適用キット。
【発明の詳細な説明】
【技術分野】
【０００１】
本発明は、改質された天然および再生可能な原料をベースとする潤滑剤組成物であって、その粘度が適用に応じて調整可能である潤滑剤組成物に関する。特に本発明は、生分解性の潤滑剤組成物に関する。
【０００２】
ＤＥ１０３２９７６１Ａ１から、天然および再生可能な油をイオン化放射線により改質することが公知である。その際、イオン化放射線の作用は複数の作用時間に区切って行われるが、これらの処理工程の間に、そのつど静止時間が存在する。この改質反応は開始剤、たとえば化学的な触媒添加物、化学的な錯化合物および／または有機促進剤を添加して行われる。さらに、イオン化放射線により処理すべき油の改質の程度は、供給、温度、線量により、酸素により、ならびに開始剤または防止剤の作用により影響を与えられる。しかし公知の改質法における欠点は、大工業的な規模では実施することができず、通常は不完全な再現性の結果につながることである。
【０００３】
たとえばＵＳ４３２７０３０Ａは、トリグリセリドベースの天然油を改質する方法を記載しており、この場合、該天然油を１００〜２００℃の温度で過酸化物と反応させる。重合されたポリ不飽和脂肪酸エステルを残留している残留物中で分離し、廃棄する。この方法は、リノール酸の含有率を低減させてオレイン酸の含有率を高めるために役立つ。こうして高いオレイン酸割合を有する油が得られる。
【０００４】
さらに、植物油の天然酸化が記載されている。原則として、天然のトリグリセリドの良好な潤滑特性が記載されている。しかしこれは著しく制限されている。というのも、これらの油は、その高い二重結合割合に基づいて酸化傾向が著しく、従ってその適用分野が著しく限定されているからである。さらに酸化残留物は、摩耗による部材、たとえばころ軸受けの損傷につながる。
【０００５】
これらの油の酸化安定性を改善するために、油にフェノール性および芳香族のアミン酸化防止剤を添加するか、または油溶性の銅化合物を添加することが提案された。
【０００６】
石油の鉱油成分は潤滑剤組成物を製造するためのベース材料として依然として使用されているが、石油はますます欠乏していることによって、これらの鉱油成分を将来は再生可能な原料によって代えることができることが必要となるであろう。しかし、潤滑剤としての天然および再生可能な原料をベースとする天然油の使用は、その低い粘度のために、わずかな適用分野に限られている。
【０００７】
本発明の課題は、トリグリセリドを基礎とする天然の再生可能な油ベースの潤滑剤組成物であって、その粘度が所望の適用に応じて調整可能である潤滑剤組成物を提供することである。本発明のもう１つの課題は、改質された天然油を含有し、高温および低温の温度範囲での極端な温度において良好な摩擦学的特性および酸化に対する良好な安定性を有する潤滑剤組成物を提供することである。
【０００８】
前記課題は、トリグリセリドベースの天然油を過酸化物と反応させ、ラジカル付加反応により脂肪酸の不飽和割合を相互に結合させる潤滑剤組成物により解決される。この反応により改質された油の粘度は変化する。粘度は過酸化物／油の比率に依存して、所望の値まで調整することができ、ひいてはそのつどの適用の要求に応じて調整することができる。改質される油の粘度に応じて、潤滑剤組成物は０００．００のＮＬＧＩクラスの液状グリースとして、および集中注油システムとして、およびギヤ潤滑の枠内で、ならびに滑り軸受け、ころ軸受けおよび水ポンプにおける１〜４のＮＧＬＩクラスのいわゆるソフトグリースとして、または５〜６のＮＬＧＩクラスのいわゆるハードグリースとして、ガスケットまたはブリケットグリースとして使用することができる。
【０００９】
本発明の潤滑剤組成物の基礎は、トリグリセリドベースの天然油の粘度を変更するための方法であり、この場合、天然油を１６５℃〜１９０℃の温度で３〜５時間、過酸化物化合物と反応させ、引き続き不飽和二重結合をラジカル付加反応により結合させる。引き続き、重合の際に生じる副生成物を高真空下で除去する。こうして製造した、粘度が変化された油を次いで現場で潤滑剤の製造のためにさらに加工することができる。天然油と過酸化物化合物との反応のために、製造すべき油の所望の粘度に応じて、相応する過酸化物化合物を４．８％〜１０．３％使用する。この場合、１００〜１２５０ｍｍ2／秒の粘度を有する油が得られる。図１は、過酸化物の濃度への粘度の依存性を示している。つまり、異なった量の過酸化物によって、高粘度の油も低粘度の油も、再現可能な簡単な方法で製造することができる。
【００１０】
使用される過酸化物は、芳香族の過酸化物化合物であっても、脂肪族の過酸化物化合物であってもよい。有利には、１，３−ビス（ｔ−ブチルペルオキシイソプロピル）ベンゼン、１，４−ビス（ｔ−ブチルペルオキシイソプロピル）ベンゼン、ジクミルペルオキシド、ｔ−ブチルクミルペルオキシド、２，５−ジメチル−２，５−ジ−（ｔ−ブチルペルオキシ）ヘキサン、ｎ−ブチル−４，４′−ジ（ｔ−ブチルペルオキシ）バレレート、１，１′−ジ−（ｔ−ブチルペルオキシ）−３，３，５−トリメチルシクロヘキサン、２，５−ジメチル−２，５−ジ−（ｔ−ブチルペルオキシ）ヘキサンからなる群から選択される過酸化物化合物を使用する。特に有利であるのは、脂肪族過酸化物化合物、たとえば２，５−ジメチル−２，５−ジ−（ｔ−ブチルペルオキシ）ヘキサンまたはジ−ｔ−ブチルペルオキシドである。
【００１１】
上記の過酸化物との反応およびその後のラジカル付加反応のためには特に高い不飽和成分の割合を有する油が適切であり、この不飽和成分はモノ不飽和であってもポリ不飽和であってもよい。特に高いオレイン酸割合を有する植物油が適切である。遺伝子的に変性されていない天然油として、特に６５〜８５％のオレイン酸含有率を有するオリーブ油が適切である。さらに、少なくとも６０％のオレイン酸含有率を有する植物油が有利である。これらはオレイン酸割合を高めるために遺伝子的に変性されていてもよい。天然油は高いオレイン酸含有率を有する紅花油、高いオレイン酸含有率を有するトウモロコシ油、高いオレイン酸含有率を有する菜種油、高いオレイン酸含有率を有するヒマワリ油、高いオレイン酸含有率を有する大豆油、高いオレイン酸含有率を有するアマニ油、高いオレイン酸含有率を有する落花生油、高いオレイン酸含有率を有する「レスケレラ（Ｌｅｓｑｕｅｒｅｌｌａ）」油、高いオレイン酸含有率を有するパーム油、高いオレイン酸割合を有するひまし油、高いオレイン酸割合を有するアマニ油、または高いオレイン酸割合を有するオリーブ油ならびに前記の油の混合物からなる群から選択される。
【００１２】
こうして得られた改質油は、出発油と比較して高い粘度を有しており、その摩擦学的特性、酸化安定性および−３０℃〜１８０℃の温度での適用分野に関して安価で、再現可能な方法で製造可能である。鉱油に対してこれらの改質油は生分解性であり、時間的に制限されることなく入手可能であるという利点を有する。
【００１３】
すでに上記で記載したように、油中の不飽和成分を利用して、過酸化物との反応によりラジカル付加反応を介して不飽和脂肪酸を完全に、または部分的に相互に結合させる。この方法では、改質油の重合度は過酸化物に対する油の比率に依存する。重合度に対するもう１つの影響は、反応温度及び反応時間である。こうして得られた改質油は、低温で著しく改善された特性を有するが、しかし高温でも使用することができ、極めて高いＶＩを有し、これは＞２１０である。さらに該改質油は極めて良好な摩擦学的特性および優れた酸化安定性を有している。
【００１４】
本発明の天然の改質油をベースとする潤滑剤組成物は、極性を有しており、薄い付着膜として金属表面上に施与することができ、このことにより優れた潤滑作用が達成される。鉱油または炭化水素をベースとする潤滑剤に対してこの潤滑剤膜は、容易に金属表面から剥離することがなく、このことは本発明による潤滑剤の適用分野をさらに油圧／水圧系の適用へと拡大する。これらは特にその架橋構造によって熱負荷および機械的負荷に対して、線状の炭化水素組成物よりも安定している。
【００１５】
再生可能な原料をベースとする高粘度の油は、多くの潤滑剤においてベース成分として使用されている、いわゆる「ブライトストック（Ｂｒｉｇｈｔｓｔｏｃｋ）」と完全に、または部分的に置き換えるために適切である。
【００１６】
トリグリセリドベースの改質された天然油を含有する潤滑剤組成物は要するに、循環可能な原料から製造され、出発材料は生分解性であり、毒性を有しておらず、高い発火点を有し、熱に対して安定しており、かつ優れた低温特性を有するという利点を有している。さらに、金属表面上での改善された付着性が加わる。
【００１７】
再生可能な天然油の動粘度は、以下に記載するとおり、潤滑剤組成物の見込まれる使用に応じて、４０℃において１００〜１２５０ｍｍ2／秒の範囲である。
【００１８】
改質された天然油を用いて製造された潤滑剤組成物は、
（ａ）ヒマワリ油、菜種油、ヒマシ油、アマニ油、トウモロコシ油、紅花油、大豆油、アマニ油、落花生油、レスケレラ油、パーム油、オリーブ油または前記の油の混合物からなる群から選択される、高いオレイン酸割合を有するトリグリセリドベースの改質された天然油５０〜９０質量％、この場合、天然油は、過酸化物と反応され、ラジカル付加反応により不飽和二重結合が結合される、および
（ｂ）添加剤または添加剤混合物５〜１０質量％、
を含有し、前記改質された天然油の粘度は、１００〜１２５０ｍｍ2／秒の範囲である。
【００１９】
このような組成物は有利にはトランスミッションオイルとして使用される。
【００２０】
前記の潤滑剤組成物はさらに、
（ｃ）増粘剤５〜３０質量％
を含有していてもよい。
【００２１】
このような潤滑剤組成物は通常、液状グリースとして使用される。
【００２２】
潤滑剤組成物は、成分（ａ）〜（ｃ）以外に、さらに
（ｄ）固体潤滑剤５〜１０質量％
を含有している場合には、これは有利には液状ギヤグリースとして使用することができる。
【００２３】
すでに上記で記載したように、いわゆる「ブライトストック」を、改質された天然油に置き換えることが可能である。このような潤滑剤組成物では、成分（ａ）〜（ｄ）に加えて
（ｅ）１もしくは複数の別のベース油成分５〜４５質量％
が含有されていてもよい。
【００２４】
潤滑剤組成物の増粘剤は、尿素、アルミニウム錯体セッケン、周期律表の第１主族および第２主族の元素の金属の単純セッケン、周期律表の第１主族および第２主族の元素の金属錯体セッケン、ベントナイト、スルホネート、シリケート、ポリイミドまたはＰＴＦＥまたは前記の増粘剤の混合物からなる群から選択される。
【００２５】
固体潤滑剤は、グラファイト、窒化ホウ素、ＭｏＳ2、ＷＳ2、ＳｎＳ、ＳｎＳ2またはＢｉ2Ｓ3または前記の固体潤滑剤の混合物からなる群から選択される。
【００２６】
添加剤または添加剤混合物は、ブチルヒドロキシトルエン、ジアルキルジフェニルアミン、アルキル化フェニル−α−ナフチルアミン、高分子トリメチルジヒドロキノリン、硫化脂肪酸エステル、ジフェニルクレシルホスフェート、アミン、中和されたホスフェート、アルキル化されたトリアリールホスフェート、アルキル化されていないトリアリールホスフェート、アルキル化されたトリアリールチオホスフェート、アルキル化されていないトリアリールチオホスフェート、亜鉛ジアルキルジチオホスフェート、カルバメート、チオカルバメート、亜鉛−ジチオカルバメート、ジメルカプト−チアジアゾール、コハク酸半エステル、スルホン酸カルシウム、ベンゾトリアゾール誘導体、Ｋペンタボレート、チオ硫酸ナトリウム、ピロリン酸ナトリウムからなる群から選択される。
【００２７】
潤滑剤組成物のベース油成分は、パラフィンベースの鉱油、ナフテンベースの鉱油、合成炭化水素、ポリ−α−オレフィン（ＰＡＯ）、ポリ−インターナルオレフィン（ＰＩＯ）、エチレン−プロピレンコポリマー、群ＩＩＩのオイル、合成エステル、ポリアルキレングリコールまたはアルキル芳香族化合物ならびにこれらの混合物からなる群から選択される。
【００２８】
油は、適用前に過酸化物と反応させ、次いで相応する添加剤、たとえばシリケート、スルホネート、ポリイミド、金属セッケン、金属セッケン錯体、尿素およびベントナイトのような増粘剤を現場であらかじめ重合した油に導入することが特に有利である。重合された油は潤滑剤組成物中で他のベース油成分、たとえばパラフィンベースの鉱油、ナフテンベースの鉱油、合成炭化水素、（ポリ−α−オレフィン、ポリ−インターナルオレフィン、エチレン−プロピレンコポリマー）、群ＩＩＩのオイル、合成エステル、ポリアルキレングリコール（ＰＡＧ）またはアルキル芳香族化合物と混合することもできる。慣用の摩耗防止添加剤および固体潤滑剤添加剤、たとえばトリアリールホスフェート、トリアリールチオホスフェート、亜鉛ジアルキルジチオホスフェート、カルバメート、チオカルバメート、亜鉛ジチオカルバメート、ＭｏＳ2、グラファイト、窒化ホウ素、ＰＴＦＥ、チオ硫酸Ｎａ、ピロリン酸Ｎａなどをここで使用することができる。酸化防止剤としては通常、フェノール性およびアミンの酸化防止剤が使用され、その際有利には重合されたトリメチルジヒドロキノリンまたは硫化脂肪酸エステルを使用することができる。
【００２９】
本発明による潤滑剤組成物は、有利にはいわゆるワンポット反応で迅速かつ再現可能な方法で適用直前に混合することができる。本発明による潤滑剤組成物は、カサ歯車および平歯車のトランスミッションの油潤滑のため、連続式ストランドキャスティングシステムにおける減摩ころ軸受けおよびトンネル炉における輸送用ころ軸受けのためのころ軸受けグリースとして、またはセメント工業、石灰工業、乾燥しっくい工業、鉱業および化学工業において使用されるロータリーキルン、ロータリーミル、ドラムおよびミキサーにおける開放型リングのギヤ潤滑のための液状トランスミッショングリースとして使用する。
【図面の簡単な説明】
【００３０】
【図１】過酸化物の濃度への粘度の依存性を示すグラフの図
【図２】ワームギヤ試験の結果を示すグラフの図
【図３】ＦＥ９試験の試験条件および結果を示すグラフの図
【図４】１４０℃でのＦＥ９試験の結果を示すグラフの図
【実施例】
【００３１】
以下に、ワームギヤのためのトランスミッションオイルとしての本発明による潤滑剤組成物の使用を記載する。リンおよび硫黄ベースの適切な添加剤ならびにブチルヒドロキシトルエン、ジアルキルジフェニルアミン、ジフェニルクレゾールホスフェート、アミンにより中和されたホスフェート、コハク酸半エステル、およびトリアゾール誘導体を用いて、ＩＳＯ  ＶＧ４６０標準に基づいて、高いオレイン酸割合を有する重合されたヒマワリ油を製造する。前記の添加剤の混合割合は約６％である。潤滑剤組成物は、ワームギヤ試験で３００時間試験する。この試験により、改質ヒマワリ油は、７０〜８０％の効率を有し、ひいてはポリ−α−オレフィンおよびポリアルキレングリコールをベースとする従来のトランスミッションオイルの効率に達していることが判明した。摩耗の低減および流体潤滑膜を摩擦箇所において迅速に構築するということに関して、本発明による潤滑剤組成物は従来のトランスミッションオイルをはるかに上回っている。図２に示した結果は、ワームギヤ試験で確認した結果であるが、このことを明らかにしている。
【００３２】
特に３００時間の運転時間にわたる極めてわずかな摩耗および極めて迅速に調整される流体潤滑作用は、このような天然のトランスミッションオイルの良好な潤滑特性を明らかにしている。
【００３３】
本発明による潤滑剤組成物の別の例として、ＮＬＧＩクラス１の尿素グリースを製造した。このころ軸受け用グリースは、高いオレイン酸割合を有するＩＳＯ  ＶＧ４６０の重合された改質ヒマワリ油を５２質量％、鉱油（ブライトストック）を３８．３質量％、ならびに増粘剤を６．５９質量％、およびジアルキルジチオリン酸亜鉛、硫化脂肪酸エステル、ベンゾトリアゾールおよび酸化防止剤からなる熱安定化のための添加剤混合物を３．０５質量％含有している。このグリースのコンセプトによってＦＥ９の試験機で１４０℃において＞１００時間のＬ５０値を達成することが可能である。図３は、ＦＥ９試験の試験条件および結果を示している。
【００３４】
図４に記載の結果から明らかであるように、＜２０％のブライトストック含有率では、運転時間が著しく延長することができ、かつ改質ヒマワリ油は、適切な添加剤を使用することにより熱に安定なものにすることができる。
【００３５】
無色の生分解性液状グリースの１例は、改質ヒマワリ油からなり、増粘剤としてカルシウムセッケンが添加された組成物であり、これは４０℃で７００ｍｍ2／秒の粘度を有する。この潤滑剤組成物を、鉱油ベースで増粘剤としてアルミニウムセッケンを含有し、さらに固体潤滑剤としてグラファイトを含有する潤滑剤組成物と比較した。
【００３６】
【表１】
0005631305.tif 000002
【００３７】
第１表に示されているように、本発明による潤滑剤組成物は、生分解性の改質ヒマワリ油をベースとしており、標準的な液状グリースよりも良好な結果を示していないとしても同等の結果である。さらに本発明による潤滑剤組成物は、生分解性であり、かつ無色である、つまりグラファイトのような固体の潤滑剤を断念することができる。つまり顧客の要求に応じて、できる限り黒色でない色が可能となる。
【００３８】
トリグリセリドベースの改質天然油のもう１つの使用は、４０℃で１００〜１２５０ｍｍ2／秒の範囲、特に４０℃で３５０〜５５０ｍｍ2／秒の範囲の動粘度を有する改質ヒマワリ油ポリマー  ７０〜９０質量％、およびリチウムベースのセッケン３０〜１０質量％を含有し、これらの成分を使用の直前に相互に混合し、０〜２のＮＬＧＩクラスのグリースが得られ、かつリチウムベースのセッケンは、改質ヒマワリ油ポリマーを１：１のモル比でＬｉＯＨ×Ｈ2Ｏにより直接けん化することにより製造される適用キットである。このようなキットはたとえば滑り軸受けにおいて使用することができる。
【図１】
0005631305.tif 000003
【図２】
0005631305.tif 000004
【図３】
0005631305.tif 000005
【図４】
0005631305.tif 000006